(57)【要約】【課題】被掃除面の除塵性能および除菌性能を向上させた電気掃除機用吸込具及びそれを用いた電気掃除機を提供することを目的とする。【解決手段】塵埃を吸引する吸込口３と、前記吸込口３の吸気下流側に形成した吸込室１５と、被掃除面上の塵埃を掻き上げる塵埃除去体Ａ１７と、前記吸込室１５内に回転自在に配された回転体１６とを備え、前記回転体１６には、抗菌処理した前記塵埃除去体Ａ１７を設けてなる電気掃除機用吸込具で、回転体１６に塵埃除去体Ａ１７を設けたことで、被掃除面に付着している塵埃や菌を頻度多く除去でき、被掃除面より塵埃を離脱できる効果を有するのみならず、被掃除面の除菌効果をも向上できる効果を有するものである。【選択図】図２
2005144026.tif 000002
【特許請求の範囲】
【請求項１】
塵埃を吸引する吸込口と、前記吸込口の吸気下流側に形成した吸込室と、被掃除面上の塵埃を掻き上げる塵埃除去体Ａと、前記吸込室内に回転自在に配された回転体とを備え、前記回転体には、抗菌処理した前記塵埃除去体Ａを設けてなる電気掃除機用吸込具。
【請求項２】
吸込口を有する吸込具本体を備え、前記吸込具本体の底面に、抗菌処理した塵埃除去体Ｂを設けた請求項１記載の電気掃除機用吸込具。
【請求項３】
塵埃除去体Ａの回転体の外表面からの突出代は、回転方向側の方が、反回転方向側より大きくなるように構成した請求項１または２記載の電気掃除機用吸込具。
【請求項４】
塵埃除去体Ａの回転方向側の幅Ａ（ｍｍ）と、前記塵埃除去体Ａの回転体に配されている数Ｂ（本）と、回転体の回転数Ｃ（ｒｐｓ）との積（Ａ×Ｂ×Ｃ）が、５００（ｍｍ／秒）以上、７５０（ｍｍ／秒）以下となるように設定した請求項１〜３のいずれか１項に記載の電気掃除機用吸込具。
【請求項５】
吸引風を発生する電動送風機を配した掃除機本体を備え、前記電動送風機と請求項１〜４のいずれか１項に記載の電気掃除機用吸込具とを連通させた電気掃除機。
【請求項６】
吸引風を発生する電動送風機を配した掃除機本体と、請求項１〜４のいずれか１項に記載の電気掃除機用吸込具が有する回転体を電気的に駆動させる駆動源と、前記掃除機本体と前記電気掃除機用吸込具とを連通させる接続部とを備え、前記駆動源の回転数を変更する変更手段を、前記接続部に設けた電気掃除機。
【発明の詳細な説明】
【技術分野】
【０００１】
本発明は、回転ブラシにて被掃除面を掃除する電気掃除機用吸込具及びそれを用いた電気掃除機に関するものである。
【背景技術】
【０００２】
従来の電気掃除機用吸込具には、回転ブラシに設けられたブラシの除電を行うように構成していたものはあった（例えば、特許文献１参照）。
【特許文献１】特開平１−１６０５１７号公報
【発明の開示】
【発明が解決しようとする課題】
【０００３】
しかしながら、上記従来の電気掃除機用吸込具においては、除電にて被掃除面の塵埃が取れやすくなる効果はあるが、被掃除面に付着している菌を低減する効果は有していなかった。
【０００４】
本発明は、上記課題を解決するもので、被掃除面の除塵性能および除菌性能を向上させた電気掃除機用吸込具及びそれを用いた電気掃除機を提供することを目的とする。
【課題を解決するための手段】
【０００５】
上記目的を達成するために本発明は、塵埃を吸引する吸込口と、前記吸込口の吸気下流側に形成した吸込室と、被掃除面上の塵埃を掻き上げる塵埃除去体Ａと、前記吸込室内に回転自在に配された回転体とを備え、前記回転体には、抗菌処理した前記塵埃除去体Ａを設けてなる電気掃除機用吸込具で、回転体に塵埃除去体Ａを設けたことで、被掃除面に付着している塵埃や菌を頻度多く除去でき、吸引作用にて効果的に被掃除面より離脱できる。また、特に前記塵埃除去体Ａが抗菌処理してあるため、清掃後、所定時間をおいて、再度清掃を実施したときにも、吸引作用にて吸引されず前記塵埃除去体Ａに残っていた菌が、前記塵埃除去体Ａにて繁殖・増殖することもないため、再度被掃除面に多量の菌を付着させることがなくなる。したがって、被掃除面より塵埃を離脱できる効果を有するのみならず、被掃除面の除菌効果をも向上できる効果を有するものである。
【発明の効果】
【０００６】
本発明によれば、被掃除面の除塵性能および除菌性能を向上させた電気掃除機用吸込具及びそれを用いた電気掃除機を提供できる。
【発明を実施するための最良の形態】
【０００７】
第１の発明は、塵埃を吸引する吸込口と、前記吸込口の吸気下流側に形成した吸込室と、被掃除面上の塵埃を掻き上げる塵埃除去体Ａと、前記吸込室内に回転自在に配された回転体とを備え、前記回転体には、抗菌処理した前記塵埃除去体Ａを設けてなる電気掃除機用吸込具で、回転体に塵埃除去体Ａを設けたことで、被掃除面に付着している塵埃や菌を頻度多く除去でき、吸引作用にて効果的に被掃除面より離脱できる。また、特に前記塵埃除去体Ａが抗菌処理してあるため、清掃後、所定時間をおいて、再度清掃を実施したときにも、吸引作用にて吸引されず前記塵埃除去体Ａに残っていた菌が、前記塵埃除去体Ａにて繁殖・増殖することもないため、再度被掃除面に多量の菌を付着させることがなくなる。したがって、被掃除面より塵埃を離脱できる効果を有するのみならず、被掃除面の除菌効果をも向上できる効果を有するものである。
【０００８】
第２の発明は、吸込口を有する吸込具本体を備え、前記吸込具本体の底面に、抗菌処理した塵埃除去体Ｂを設けたもので、被掃除面の除塵性能および除菌性能をさらに向上できる。
【０００９】
第３の発明は、塵埃除去体Ａの回転体の外表面からの突出代は、回転方向側の方が、反回転方向側より大きくなるように構成したもので、回転体が回転して塵埃除去体Ａが被掃除面と接触したときには、前記塵埃除去体Ａは反回転方向へ折れ曲がるが、回転方向側の方の突出代を、反回転方向側より大きくなるように構成してあるため、前記塵埃除去体Ａの反回転方向へ折れ曲がりを小さくできるため、前記塵埃除去体Ａの前記被掃除面への接触圧を高めることができる。これによって被掃除面の除塵性能および除菌性能をさらに向上できる。
【００１０】
第４の発明は、塵埃除去体Ａの回転方向側の幅Ａ（ｍｍ）と、前記塵埃除去体Ａの回転体に配されている数Ｂ（本）と、回転体の回転数Ｃ（ｒｐｓ）との積（Ａ×Ｂ×Ｃ）が、５００（ｍｍ／秒）以上、７５０（ｍｍ／秒）以下となるように設定したもので、一般的に掃除作業中に使用者が吸込具を被掃除面上にて動かす平均速度は５００（ｍｍ／秒）であるので、これにより、掃除作業中に使用者が被掃除面上にて吸込具を動かす時、抗菌処理した塵埃除去体Ａが、平均速度においては、確実に被掃除面に接触することを実現できる。また、仮に平均速度以上で、掃除作業中に使用者が吸込具を被掃除面上にて動かしたとしても、平均速度の１．５倍の範囲以下には設定してるので、回転体の低騒音も考慮しながら、被掃除面の除塵性能および除菌性能を向上できる。
【００１１】
第５の発明は、吸引風を発生する電動送風機を配した掃除機本体を備え、前記電動送風機と請求項１〜４のいずれか１項に記載の電気掃除機用吸込具とを連通させた電気掃除機で、被掃除面の除塵性能および除菌性能を向上させた電気掃除機を提供できる。
【００１２】
第６の発明は、吸引風を発生する電動送風機を配した掃除機本体と、請求項１〜４のいずれか１項に記載の電気掃除機用吸込具が有する回転体を電気的に駆動させる駆動源と、前記掃除機本体と前記電気掃除機用吸込具とを連通させる接続部とを備え、前記駆動源の回転数を変更する変更手段を、前記接続部に設けた電気掃除機で、被掃除面の除塵性能および除菌性能、さらには使用性を向上できる。
【００１３】
以下、本発明の実施の形態について、図面を参照しながら説明する。なお、この実施の形態によってこの発明が限定されるものではない。
【００１４】
（実施の形態１）
以下、本発明の第１の実施の形態における電気掃除機を図１〜図３を用いて説明する。
【００１５】
図１〜図３において、吸込具本体１は、下方に開口し塵埃を吸引する吸込口３と前記吸込口３の吸気下流側には吸込室１５を有している。また、前記吸込室１５内には、前記吸込口３に対向して、絨毯などの被掃除面に付着した塵埃を遊離させる回転ブラシ２が設けられている。また、前記吸込具本体１の後部には、延長管４と接続する接続管５を回動自在に設けている。
【００１６】
掃除機本体６は、内部に塵埃を集塵する集塵室７と吸引風を発する電動送風機８とを備えており、集塵室７や電動送風機８と、接続部である延長管４やホース１０を介して、吸込具本体１の吸込口３とが連通するように構成している。
【００１７】
図２において、吸込具本体１は、上部材１１と下部材１２とを、エラストマーやＰＰなどにより形成されるバンパー１３を介して結合して外郭を構成されている。吸込具本体１の略中央後方部には、上部材１１と下部材１２に挟持されて上下に回動する接続管５が設けられている。下部材１１の底面で、吸込口３の後方には塵埃除去体Ｂである下ブラシ１４を取り付け、この下ブラシ１４は、ナイロンのブラシに銀イオンなど付着させ抗菌処理を行っている。
【００１８】
回転ブラシ２は、吸込室１５内部で矢印Ｂ方向に回転自在に設けられている。この回転ブラシ２は、抗菌処理した材料のＡＢＳ、ポリスチロール、ポリプロピレンなどの熱可塑性樹脂で形成した回転体である略筒状のブラシホルダー１６と、前記ブラシホルダー１６の外周面に塵埃掻き上げ部を構成し、ナイロンのブラシに銀イオンなど付着させ抗菌加工された塵埃除去体Ａであるブラシ１７を複数本（Ｂ本）設けている。なお、本実施の形態においては、Ｂは６本である。
【００１９】
ブラシ１７は、ブラシホルダー１６の長手方向に対して略平行状に挿入され、塵埃の集塵効率のためにブラシホルダー１６表面部で螺旋およびＶ字形状になるように構成されている。ブラシホルダー１６のブラシ装着用の溝１８には、回転ブラシ２の回転方向に対し後方側を高くした支持部１９を形成し、ブラシ１７の毛の倒れを防止することで、ブラシ１７が被掃除面に強く接触させるように構成している。なお、塵埃掻き上げ部は、ブラシ１７の他、薄板状のブレード、拭き効果のある帯状体（例えば、布製の帯状体）、あるいはこれらを適宜組み合せたものであってもよい。
【００２０】
図３において、ブラシホルダー１６の内部に、回転ブラシ２を回転駆動させる電気的な駆動源である電動機２０、電動機２０の回転数を減速する減速装置２３を内蔵している。電動機２０は整流子電動機で構成し、商用電源電圧を整流する整流器、雑音防止器などを実装した電動機用基板２１を設け、この電動機用基板２１に接続管５を通して掃除機本体６に接続したリード線２２を接続し、商用電源電圧を整流した電圧により駆動するように構成している。なお、本実施例においては、回転ブラシ２を駆動させる手段として、ブラシホルダー１６内部に電動機２０を内臓しているが、これ以外の手段として電動機２０と回転ブラシの間にベルトを張架して駆動させる手法や、回転ブラシのブラシ部に吸引風を当てることで駆動させる手段がある。
【００２１】
図２において、この回転ブラシ２に取り付けたブラシ１７の回転方向側の幅をＡ（ｍｍ）、本数をＢ（本）、回転数をＣ（ｒｐｓ）とすると、ＡとＢとＣとの積は、５００（ｍｍ／秒）以上、７５０（ｍｍ／秒）以下となるよう設定されている。
【００２２】
電動機２０は、リミットスイッチのオン・オフにより供給電源をオン・オフされることで駆動・停止を制御するスイッチ部２４が設けられている。スイッチ部２４により吸込具本体１が被掃除面に接触状態か、空中に持ち上げられているかを判定し、接触状態のときのみ回転ブラシ２が駆動するようになっている。
【００２３】
ホース１０には一端に操作ハンドル３１を設けており、ここに掃除機本体６に内蔵した電動送風機８や、吸込具本体１内に取り付けた電動機２０への電気的接続を入切するスイッチ部３２を設けている。スイッチ部３２には、前記電動機２０の回転数を変更する変更手段である回転数スイッチ３３が設けられている。
【００２４】
以上のように構成された電気掃除機用吸込具においてその動作作用を説明する。
【００２５】
まず、掃除作業のため操作ハンドル３１のスイッチ部３２を操作し回転ブラシ２を回転させると、抗菌処理したブラシホルダー１６に保持された抗菌加工したブラシ１７が掃除の作業に伴い被掃除面に何度もあたるので、塵埃を集塵するのみではなく被掃除面の除菌も行うことができる。併せて吸込具本体１の下部材１２の底面に抗菌処理した下ブラシ１４も被掃除面に接触するので、確実に被掃除面の除菌も行うことができる。回転ブラシ２のブラシホルダー１６やブラシ１７、下ブラシ１４が抗菌処理されているので被掃除面をより清潔にできる。
【００２６】
つまり、回転するブラシホルダー１６にブラシ１７を設けたことで、被掃除面に付着している塵埃や菌を頻度多く除去でき、吸引作用にて効果的に被掃除面より離脱できる。また、特に前記ブラシ１７が抗菌処理してあるため、清掃後、所定時間をおいて、再度清掃を実施したときにも、吸引作用にて吸引されず前記ブラシ１７に残っていた菌が、前記ブラシ１７にて繁殖・増殖することもないため、再度被掃除面に多量の菌を付着させることがなくなる。したがって、被掃除面より塵埃を離脱できる効果を有するのみならず、被掃除面の除菌効果をも向上できる効果を有するものである。また、下部材１２の底面に、抗菌処理した下ブラシ１４を設けたもので、被掃除面の除塵性能および除菌性能をさらに向上できるものである。また、さらに、ブラシホルダー１６も銀イオンなど付着させ抗菌処理されているため、さらに回転ブラシ２全体として、吸引作用にて吸引されず回転ブラシ２に残っていた菌が、前記回転ブラシ２にて繁殖・増殖することも防止できる。
【００２７】
また、ブラシ１７は、回転方向に対しブラシ１７の後方側を高く構成した支持部１９にて支えられるので回転するときにはブラシ１７の床面への接触圧を高くなる。これによって被掃除面の除菌もさらに効率的に行うことができる。
【００２８】
つまり、ブラシ１７のブラシホルダー１６の外表面からの突出代は、回転方向側の方を、反回転方向側より大きくなるように構成したことで、ブラシホルダー１６が回転してブラシ１７が被掃除面と接触したときには、前記ブラシ１７は反回転方向へ折れ曲がるが、回転方向側の方の突出代を、反回転方向側より大きくなるように構成してあるため、前記ブラシ１７の反回転方向へ折れ曲がりを小さくできるため、前記ブラシ１７の前記被掃除面への接触圧を高めることができる。これによって被掃除面の除塵性能および除菌性能をさらに向上できるものである。
【００２９】
また、塵埃除去体Ａの回転方向側の幅Ａ（ｍｍ）と、前記塵埃除去体Ａの回転体に配されている数Ｂ（本）と、回転体の回転数Ｃ（ｒｐｓ）との積（Ａ×Ｂ×Ｃ）が、５００（ｍｍ／秒）以上、７５０（ｍｍ／秒）以下となるよう設定したことで、一般的に掃除作業中に使用者が吸込具を被掃除面上にて動かす平均速度は５００（ｍｍ／秒）であり、これにより、掃除作業中に使用者が被掃除面上にて吸込具本体１を動かす時、抗菌処理したブラシ１７が、平均速度においては、確実に被掃除面に接触することを実現できる。また、仮に平均速度以上で、掃除作業中に使用者が吸込具を被掃除面上にて動かしたとしても、平均速度の１．５倍の範囲以下には設定してるので、回転体の低騒音も考慮しながら、被掃除面の除塵性能および除菌性能を向上できる。
【００３０】
また、回転ブラシ２の回転数を、操作ハンドル３１のスイッチ部３２に操作可変できる回転数スイッチ３３を設けているので、これによって被掃除面や掃除作業の早さにあった回転ブラシ２の回転数を設定でき、操作も楽で且つ除菌効果が向上できる。
【産業上の利用可能性】
【００３１】
以上のように、本発明の電気掃除機吸込具及びそれを用いた電気掃除機は、被掃除面より塵埃を離脱できる効果を有するのみならず、被掃除面の除菌効果をも向上できる効果を有するので、業務用掃除機や掃除ロボットなどの電気掃除機全般の吸込部に有用である。
【図面の簡単な説明】
【００３２】
【図１】本発明の第１の実施の形態を示す電気掃除機の全体図
【図２】同電気掃除機用吸込具の側断面図
【図３】同電気掃除機用吸込具の上部材を外した上面図
【符号の説明】
【００３３】
３  吸込口
１４  下ブラシ（塵埃除去体Ｂ）
１５  吸込室
１６  ブラシホルダー（回転体）
１７  ブラシ（塵埃除去体Ａ）
【図１】
2005144026.tif 000003
【図２】
2005144026.tif 000004
【図３】
2005144026.tif 000005